(57)【特許請求の範囲】
【請求項１】
一側端部を枢支側端部とすると共に他側端部を回動側端部として回動自在としたドアの回動側端部の下端部にフラップ受け部を設け、前記フラップ受け部の回動軌跡のうちの所定部位の下方の床に一側端部を枢支端部とすると共に他側端部を回動端部として上下に回動自在としたフラップを配置して、前記フラップを回動するドアの回動側端部が近づいてくる側が回動端部側となるように配設し、フラップとフラップ受け部の一方に磁石を設けると共に他方に前記磁石に磁着される磁性体を設け、回動するドアのフラップ受け部がフラップの上方に位置しない時には、フラップの回動端部が下方に回動していてフラップが略水平状態となると共に、回動するドアのフラップ受け部がフラップの上方に位置する時には、磁石と磁性体とが引き寄せ合ってフラップの回動端部が上方に鋭角回動することでフラップが斜め上方に傾斜して、前記斜め上方に傾斜したフラップにほぼ沿う係合下面と該係合下面側に面するように係合下面の上端より略下方に形成される係合当り面とからなるフラップ受け部の係合部にフラップの回動端部が係合されて回動するドアが停止するようにしたものにおいて、フラップ受け部の係合下面の係合当り面と反対側の端部から略上方に形成される補助当り面と、該補助当り面の上端から前記係合下面と反対側に形成される補助下面とから成るフラップ反り返り防止部を形成して成ることを特徴とするドアストッパー。
【請求項２】
一側端部を枢支側端部とすると共に他側端部を回動側端部として回動自在としたドアの回動側端部の下端部にフラップ受け部を設け、前記フラップ受け部の回動軌跡のうちの所定部位の下方の床に一側端部を枢支端部とすると共に他側端部を回動端部として上下に回動自在としたフラップを配置して、前記フラップを回動するドアの回動側端部が近づいてくる側が回動端部側となるように配設し、フラップとフラップ受け部の一方に磁石を設けると共に他方に前記磁石に磁着される磁性体を設け、回動するドアのフラップ受け部がフラップの上方に位置しない時には、フラップの回動端部が下方に回動していてフラップが略水平状態となると共に、回動するドアのフラップ受け部がフラップの上方に位置する時には、磁石と磁性体とが引き寄せ合ってフラップの回動端部が上方に鋭角回動することでフラップが斜め上方に傾斜して、前記斜め上方に傾斜したフラップにほぼ沿う係合下面と該係合下面側に面するように係合下面の上端より略下方に形成される係合当り面とからなるフラップ受け部の係合部にフラップの回動端部が係合されて回動するドアが停止するようにしたものにおいて、フラップ受け部の係合下面の係合当り面と反対側の端部から略斜め外上方に形成される側面視円弧のような一凹曲面からなるフラップ反り返り防止部を形成して成ることを特徴とするドアストッパー。
【発明の詳細な説明】
【０００１】
【発明の属する技術分野】
本発明は、回動自在なドアの下端部に設けるフラップ受け部と、床に設ける回動自在なフラップとからなり、ドアを一定以上回動しないようにするドアストッパーに関するものである。
【０００２】
【従来の技術】
従来から、ドアが一定以上回動しないようにするため、回動自在なドアの下端部に設けるフラップ受け部と、床に設ける回動自在なフラップとからなるドアストッパーが使用されている。
【０００３】
これは、図５及び図６に示すように、ドア１の一側端部を枢支して枢支側端部とし、ドア１の他側端部を回動自在な回動側端部１１として、枢支側端部を中心に回動側端部１１を回動することでドア１を回動可能とし、ドア１の回動側端部１１の下端部にフラップ受け部２’を設け、ドア１が回動する際のフラップ受け部２’の回動軌跡のうちの所定部位の下方の床３にフラップ４を配置する。フラップ４は、一側端部を床３に枢支して枢支端部４１とし、他側端部を回動端部４２として、枢支端部４１を中心に回動端部４２を上下に回動自在としてあり、回動するドア１の回動側端部１１が近づいてくる側が回動端部４２側となるように配設される。
【０００４】
このようなフラップ４は、フラップ受け部２’がフラップ４の上方に位置しない時には、フラップ４の回動端部４２が下方に回動していてフラップ４が略水平状態となるものであるが、ドア１が回動してフラップ受け部２’が近づいてきてフラップ４の上方に位置すると、フラップ受け部２’に設けた磁石５１と磁性体５２とからなるフラップ４が引き寄せ合い、フラップ４の回動端部４２が上方に回動してフラップ４が斜め上方に傾斜する。そして、この斜め上方に傾斜したフラップ４がフラップ受け部２’に係合されて、回動するドア１を停止するものである。
【０００５】
フラップ受け部２’は、斜め上方に傾斜したフラップ４にほぼ沿うような係合下面６１’と、この係合下面６１’側に面するように係合下面６１’の上端より下方に形成される係合当り面６２’とからなる係合部６’が形成してあり、通常は図６に示すように、フラップ４は係合部６’と係合するものである。
【０００６】
ところが、フラップ４が何らかの理由で、例えば図５に示すように、フラップ４の下側にゴミ９が挟まり込んだりしていて、ドア１の回動側端部１１がフラップ４の上方に位置しないにも拘わらずフラップ４の回動端部４２が上方に回動してフラップ４が斜め上方に傾斜しているような場合には、ドア１が回動してフラップ受け部２’がフラップ４に近づいてくると（図５（ａ）参照）、フラップ受け部２’の係合下面６１’の外側に形成される外側面２１’にフラップ４が当たって（図５（ｂ）参照）、フラップ４が反り返ってしまい（図５（ｃ）参照）、フラップ４の枢支端部４１を枢支している部分が破損したりするという問題があった。
【０００７】
【発明が解決しようとする課題】
本発明は上記の点に鑑みてなされたものであり、その目的とするところは、ドアの回動側端部がフラップ上方に位置しないにも拘わらずフラップの回動端部が上方に回動してフラップが斜め上方に傾斜していた場合でも、回動するドアを停止させることができて且つ、フラップとフラップ受け部との係合が異常であることが分かるうえに、フラップが反り返るのを防止することができるドアストッパーを提供することを課題とするものである。
【０００８】
【課題を解決するための手段】
上記課題を解決するために本発明に係るドアストッパーは、一側端部を枢支側端部とすると共に他側端部を回動側端部１１として回動自在としたドア１の回動側端部１１の下端部にフラップ受け部２を設け、前記フラップ受け部２の回動軌跡のうちの所定部位の下方の床３に一側端部を枢支端部４１とすると共に他側端部を回動端部４２として上下に回動自在としたフラップ４を配置して、前記フラップ４を回動するドア１の回動側端部１１が近づいてくる側が回動端部４２側となるように配設し、フラップ４とフラップ受け部２の一方に磁石５１を設けると共に他方に前記磁石５１に磁着される磁性体５２を設け、回動するドア１のフラップ受け部２がフラップ４の上方に位置しない時には、フラップ４の回動端部４２が下方に回動していてフラップ４が略水平状態となると共に、回動するドア１のフラップ受け部２がフラップ４の上方に位置する時には、磁石５１と磁性体５２とが引き寄せ合ってフラップ４の回動端部４２が上方に鋭角回動することでフラップ４が斜め上方に傾斜して、前記斜め上方に傾斜したフラップ４にほぼ沿う係合下面６１と該係合下面６１側に面するように係合下面６１の上端６１ａより略下方に形成される係合当り面６２とからなるフラップ受け部２の係合部６にフラップ４の回動端部４２が係合されて回動するドア１が停止するようにしたものにおいて、フラップ受け部２の係合下面６１の係合当り面６２と反対側の端部６１ｂから略上方に形成される補助当り面７１と、該補助当り面７１の上端７１ａから前記係合下面６１と反対側に形成される補助下面７２とから成るフラップ反り返り防止部７を形成して成ることを特徴とするものである。このような構成とすることで、ドア１の回動側端部１１がフラップ４上方に位置しないにも拘わらずフラップ４の回動端部４２が上方に回動してフラップ４が斜め上方に傾斜していた場合でも、既に上方に回動しているフラップ４の回動端部４２が補助当り面７１に当ってこの補助当り面７１に沿って上方に移動し、補助下面７２に当って補助下面７２と補助当り面７１との交差部に位置する補助当り部７３にて係合されて、回動するドア１を停止させることができる。更に、フラップ４の回動端部４２がフラップ反り返り防止部７の補助当り部７３にて係合されることで、フラップ４が反り返るのを阻止することができて、フラップ４が反り返ることによるフラップ４の枢支部の破損を防止することができる。更にこの場合、正常にフラップ４がフラップ受け部２と係合して回動するドア１が停止した場合すなわち、フラップ４の回動端部４２が係合部６の当り部６３にて係合された場合と比べて、ドア１が手前で停止するため、フラップ４とフラップ受け部２との係合が異常であることが分かる。
【０００９】
また、一側端部を枢支側端部とすると共に他側端部を回動側端部１１として回動自在としたドア１の回動側端部１１の下端部にフラップ受け部２を設け、前記フラップ受け部２の回動軌跡のうちの所定部位の下方の床３に一側端部を枢支端部４１とすると共に他側端部を回動端部４２として上下に回動自在としたフラップ４を配置して、前記フラップ４を回動するドア１の回動側端部１１が近づいてくる側が回動端部４２側となるように配設し、フラップ４とフラップ受け部２の一方に磁石５１を設けると共に他方に前記磁石５１に磁着される磁性体５２を設け、回動するドア１のフラップ受け部２がフラップ４の上方に位置しない時には、フラップ４の回動端部４２が下方に回動していてフラップ４が略水平状態となると共に、回動するドア１のフラップ受け部２がフラップ４の上方に位置する時には、磁石５１と磁性体５２とが引き寄せ合ってフラップ４の回動端部４２が上方に鋭角回動することでフラップ４が斜め上方に傾斜して、前記斜め上方に傾斜したフラップ４にほぼ沿う係合下面６１と該係合下面６１側に面するように係合下面６１の上端６１ａより略下方に形成される係合当り面６２とからなるフラップ受け部２の係合部６にフラップ４の回動端部４２が係合されて回動するドア１が停止するようにしたものにおいて、フラップ受け部２の係合下面６１の係合当り面６２と反対側の端部６１ｂから略斜め外上方に形成される側面視円弧のような一凹曲面からなるフラップ反り返り防止部を形成して成ることを特徴とするものである。このような構成とすることで、ドア１の回動側端部１１がフラップ４上方に位置しないにも拘わらずフラップ４の回動端部４２が上方に回動してフラップ４が斜め上方に傾斜していた場合、ドア１が回動して回動側端部１１の下端部に設けたフラップ受け部２がフラップ４に近づいてきた際、フラップ４の回動端部４２がフラップ反り返り防止部７に当接して回動するドア１を停止させると共にフラップ４が反り返るのを阻止することができて、フラップ４が反り返ることによってフラップ４の枢支端部４１の枢支している部分が破損したりするのを防止することができる。また、このようにフラップ４の回動端部４２がフラップ反り返り防止部７に当接した場合には、正常にフラップ４がフラップ受け部２と係合して回動するドア１が停止した場合すなわち、フラップ４の回動端部４２が係合部６の当り部６３にて係合された場合と比べて、ドア１が手前で停止するため、フラップ４とフラップ受け部２との係合が異常であることが分かる。
【００１１】
【発明の実施の形態】
以下、本発明を添付図面に示す実施形態に基づいて説明する。
【００１２】
本発明に係るドアストッパーは、回動自在なドア１の下端部に設けるフラップ受け部２と、床３に設ける回動自在なフラップ４とからなり、ドア１を一定以上回動しないようにするものである。
【００１３】
フラップ受け部２が設けられるドア１は、出入り口として壁部に穿設される開口の一側端部にドア１の一側端部を丁番等で枢支して枢支側端部とし、ドア１の他側端部を回動自在な回動側端部１１として、枢支側端部を中心にして回動側端部１１を回動することで開閉自在となるように上記壁部の開口に設けるものである。そして、このようなドア１の回動側端部１１の下端部にフラップ受け部２を設けると共に、床３にフラップ４を配設するのであるが、フラップ４は、ドア１が開閉する際に回動するフラップ受け部２の回動軌跡のうちで、所定部位の下方の床３に配置される。例えば、ドア１を閉めて壁部の開口が閉塞される全閉状態にしようする際にドア１が壁部の反対側にまで更に回動してしまったりすることのないように、ドア１の全閉時にフラップ受け部２の下方に位置する床３（すなわち壁部の開口縁近傍の床３）にフラップ４を配置したり、あるいは、ドア１を開ける際にドア１が壁に衝突したりすることのないように、ドア１の回動側端部１１を回動してドア１を壁の少し手前にまで開けた時にフラップ受け部２の下方に位置する床３に配置したりするものであるが、フラップ受け部２の回動軌跡のうちのどの部位の下方の床３に配置するかは特に限定されない。このようなフラップ４はドア１の回動側端部１１の下端部に設けたフラップ受け部２に係合してドア１が一定以上回動するのを防止するもので、以下に説明する。
【００１４】
フラップ４は、一側端部を床３に枢支して枢支端部４１とし、他側端部を回動端部４２として、枢支端部４１を中心にして回動端部４２を上下に回動自在とするもので、上述したようにフラップ受け部２の回動軌跡のうち所定部位の下方の床３に配置されるのであるが、この時、枢支端部４１と回動端部４２は、回動するドア１の回動側端部１１が近づいてくる側が回動端部４２側となるように配設されるものである。すなわち、例えば上記のように、ドア１を閉めて壁部の開口が閉塞される全閉状態にしようする際にドア１が壁部の反対側にまで更に回動してしまったりすることのないように、ドア１の全閉時にフラップ受け部２の下方に位置する床３にフラップ４を配置する場合には、ドア１を閉める際にドア１の回動側端部１１が移動する先方側がフラップ４の枢支端部４１側となると同時に、ドア１を開ける際にドア１の回動側端部１１が移動する先方側がフラップ４の回動端部４２側となるように配置するものである。また、ドア１を開ける際にドア１が壁に衝突したりすることのないように、ドア１の回動側端部１１を回動してドア１を壁の少し手前にまで開けた時にフラップ受け部２の下方に位置する床３に配置する場合には、ドア１を開ける際にドア１の回動側端部１１が移動する先方側がフラップ４の枢支端部４１側となると同時に、ドア１を閉める際にドア１の回動側端部１１が移動する先方側がフラップ４の回動端部４２側となるように配置するものである。このように配置するフラップ４は、フラップ受け部２がフラップ４の上方に位置しない時には、フラップ４の回動端部４２が下方に回動していてフラップ４が略水平状態となると共に、フラップ受け部２がフラップ４の上方に位置する時には、フラップ４の回動端部４２が上方に回動してフラップ４が斜め上方に傾斜するものである。なお、フラップ４の回動は、後述するが、磁石５１と該磁石５１に磁着される磁性体５２とが引き寄せ合うことによるものである。図中の８は、フラップ４の取付基台を示す。
【００１５】
フラップ４は、略水平状態となった際、上面が床３面と面一となるようにしてもよい。そして、フラップ受け部２がフラップ４の上方に位置してフラップ４が斜め上方に傾斜した際には、フラップ４はフラップ受け部２に係合されるものであり、これについて説明する。
【００１６】
フラップ受け部２は、斜め上方に傾斜したフラップ４にほぼ沿うような係合下面６１と、この係合下面６１側に面するように係合下面６１の上端６１ａより略下方に形成される係合当り面６２とからなる係合部６が形成してある。すなわち、ドア１が回動してフラップ４の上方に位置した時に、斜め上方に傾斜したフラップ４の回動端部４２が当たる係合当り面６２をフラップ４の枢支端部４１側の方を向くように形成し、この係合当り面６２の上端（後述する当り部６３）からフラップ４の枢支端部４１側に向けて、斜め上方に傾斜したフラップ４にほぼ沿うような係合下面６１を形成して、係合当り面６２と係合下面６１とで係合部６を構成するものである。このようにすることで、ドア１が回動して回動側端部１１がフラップ４の回動端部４２側の方からフラップ４へと近づいてきて、ドア１の回動側端部１１の下端部に設けたフラップ受け部２がフラップ４の上方に位置した時、フラップ４が枢支端部４１を中心にして回動端部４２が上方に回動することでフラップ４が斜め上方に傾斜し、斜め上方に傾斜したフラップ４の回動端部４２がフラップ受け部２の係合部６の係合下面６１に当たって該係合下面６１に沿って移動し、係合当り面６２と係合下面６１との交差部に位置する当り部６３にて係合されて、回動するドア１を停止させることができる（図２参照）。本実施形態では、係合下面６１を斜め上方に傾斜したフラップ４にほぼ沿うように形成してあるが、係合下面６１は略水平となるように形成してあってもよい。
【００１７】
そして、フラップ受け部２の係合部６の係合下面６１には磁石５１が埋設してあると共に、フラップ４は鉄系材料のような磁性体５２で形成してある。このようにすることで、ドア１を回動させて回動側端部１１がフラップ４の回動端部４２側の方からフラップ４へと近づいてきて、ドア１の回動側端部１１の下端部に設けたフラップ受け部２がフラップ４の上方近傍に位置した時に、フラップ受け部２の係合下面６１に埋設した磁石５１と磁性体５２で形成したフラップ４とが引き寄せ合って、フラップ４の回動端部４２を上方に回動させることができる。回動端部４２が上方に回動したフラップ４は、磁石５１によってフラップ受け部２の係合下面６１に接触し、更にドア１を回動させて回動端部４２が当り部６３に当って係合し、回動するドア１が停止する。フラップ４は該傾斜したフラップ４に沿うように形成してある係合下面６１に当接すると同時に、係合下面６１に埋設した磁石５１にて磁着されるため、フラップ４の回動端部４２と当り部６３との係合が保持される。
【００１８】
また、上記のようにして、フラップ４の回動端部４２とフラップ受け部２の当り部６３とで係合されて停止しているドア１は、元の方へ回動させることで、フラップ受け部２の係合部６の当り部６３とフラップ４の回動端部４２との係合が解除され、フラップ４の回動端部４２が移動して係合下面６１の下端部（すなわち、係合下面６１の係合当り面６２と反対側の端部６１ｂ）からフラップ受け部２より外れ落ちて、下方に回動することでフラップ４が略水平状態となる。これにより、ドア１の回動側端部１１がフラップ４近傍より遠ざかった場合には、回動端部４２が上方に回動して床３より突出していたフラップ４が略水平状態となって床３に収納されるものである。
【００１９】
そして、本発明においては、係合下面６１の係合当り面６２と反対側の端部６１ｂから略上方に形成される補助当り面７１と、この補助当り面７１の上端７１ａから係合下面６１と反対側に形成される補助下面７２とで、フラップ反り返り防止部７を形成するものである。
【００２０】
フラップ４が何らかの理由で、例えば、フラップ４の下側にゴミ９が挟まり込んだりしていて、ドア１の回動側端部１１がフラップ４上方に位置しないにも拘わらずフラップ４の回動端部４２が上方に回動してフラップ４が斜め上方に傾斜していた場合、ドア１が回動して回動側端部１１の下端部に設けたフラップ受け部２がフラップ４に近づいてきた際、本来なら、フラップ受け部２の係合下面６１の下端部６１ｂがフラップ４の枢支端部４１へ向けて回動端部４２の上方を通過した後に、フラップ受け部２の係合下面６１に埋設した磁石５１と磁性体５２で形成したフラップ４とが引き寄せ合って、フラップ４の回動端部４２が上方に回動されてフラップ受け部２の当り部６３と係合されるところが、既に上方に回動しているフラップ４の回動端部４２が補助当り面７１に当ってしまうものである。そこで、本発明におけるように、補助当り面７１と補助下面７２とからなるフラップ反り返り防止部７を形成してあることで、補助当り面７１に当ったフラップ４の回動端部４２が補助当り面７１に沿って上方に移動し、補助下面７２に当って補助下面７２と補助当り面７１との交差部に位置する補助当り部７３にて係合されて、回動するドア１を停止させることができる。更に、フラップ４の回動端部４２がフラップ反り返り防止部７の補助当り部７３にて係合されることで、フラップ４が反り返るのを阻止することができて、フラップ４が反り返ることによってフラップ４の枢支端部４１の枢支している部分が破損したりするのを防止することができる。また、このようにフラップ４の回動端部４２がフラップ反り返り防止部７の補助当り部７３にて係合された場合には、正常にフラップ４がフラップ受け部２と係合して回動するドア１が停止した場合すなわち、フラップ４の回動端部４２が係合部６の当り部６３にて係合された場合と比べて、ドア１が手前で停止するため、フラップ４とフラップ受け部２との係合が異常であることが分かる。また、フラップ反り返り防止部７は、図１に示す本実施形態に示すように、係合下面６１の係合当り面６２と反対側の端部６１ｂより形成されたフラップ反り返り防止部７ａの補助下面７２の補助当り面７１と反対側の端部７２ａから、別のフラップ反り返り防止部７ｂを形成するようにしてもよい。このように、フラップ反り返り防止部７を複数段に形成することで、フラップ４の下側にゴミ９が挟まり込んだりしてフラップ４の回動端部４２が上方高くに回動してフラップ４が斜め上方に急傾斜している場合にでも、フラップ反り返り防止部７ｂによってフラップ４が反り返るのを阻止することができる、等の上記作用効果が得られる。
【００２１】
次に、本発明の他の実施形態のドアストッパーを図３に示す。このドアストッパーは、フラップ反り返り防止部７を四段形成したものである。このようにすることで、フラップ４が斜め上方にさらに急に傾斜している場合にでも、フラップ反り返り防止部７によってフラップ４が反り返るのを阻止することができる、等の上記作用効果が得られる。なお、本実施形態に示すように、当り部６３や係合当り面６２の下端部、補助当り部７３や補助当り面７１の下端部にはＲが形成してあってもよい。このようにすることで、人体が接触した際に怪我するのを防止することができる。
【００２２】
なお、図中の２２はフラップ受け部をドア１の回動側端部１１の下端部に取り付けるための固着具（図示せず）挿通される挿通孔を、５３は磁石５１の抜け止めを行う抜け止め部材を示す。挿通孔２２は、挿通される固着具が挿通孔２２内で上下に移動自在となるような長孔として形成してあり、これによって、フラップ受け部２の係合部６にフラップ４が係合される際、フラップ受け部２の係合部６の係合下面６１に沿う状態でフラップ４が係合されるように、フラップ受け部２のドア１の回動側端部１１の下端部への取り付け位置を上下に調節可能としてある。
【００２３】
次に、本発明の更に他の実施形態のドアストッパーを図４に示す。図４に示す本実施形態は図１及び図２に示す実施形態と大部分が同じであるため、主に異なる部分についてのみ説明する。
【００２４】
本実施形態のドアストッパーは、図１及び図２に示す実施形態や図３に示す実施形態のように補助当り面７１と補助下面７２とからなるフラップ反り返り防止部７ではなく、一凹曲面７５からなるフラップ反り返り防止部７を形成したものである。
【００２７】
図４に、フラップ受け部２の係合下面６１の係合当り面６２と反対側の端部６１ｂから略斜め外上方に向けて、側面視において円弧状をした一凹曲面７５を形成したものが示してある。凹曲面７４は、側面視において曲率が変化するような曲線上に位置する曲面であってもよいが、凹曲面７４の下端部における接平面の向きが略垂直であると共に上端部における接平面の向きが略水平となるように形成してある。
【００２８】
このようにすることで、ドア１の回動側端部１１がフラップ４上方に位置しないにも拘わらずフラップ４の回動端部４２が上方に回動してフラップ４が斜め上方に傾斜していた場合、ドア１が回動して回動側端部１１の下端部に設けたフラップ受け部２がフラップ４に近づいてきた際、フラップ４の回動端部４２がフラップ反り返り防止部７の凹曲面７５に当接係合して回動するドア１を停止させることができる。更に、フラップ４の回動端部４２がフラップ反り返り防止部７の凹曲面７５にて当接係合されることで、フラップ４が反り返るのを阻止することができて、フラップ４が反り返ることによってフラップ４の枢支端部４１の枢支している部分が破損したりするのを防止することができる。また、このようにフラップ４の回動端部４２がフラップ反り返り防止部７の凹曲面７５にて当接係合された場合には、正常にフラップ４がフラップ受け部２と係合して回動するドア１が停止した場合すなわち、フラップ４の回動端部４２が係合部６の当り部６３にて係合された場合と比べて、ドア１が手前で停止するため、フラップ４とフラップ受け部２との係合が異常であることが分かる。
【００２９】
また、特に図示はしないが、以上のように図４に示す実施形態のフラップ反り返り防止部７は、図３に示すような実施形態のものと同様に、フラップ反り返り防止部７の上端部から別のフラップ反り返り防止部７を形成するようにしてもよい。このように、フラップ反り返り防止部７を複数段に形成することで、フラップ４の下側にゴミ９が挟まり込んだりしてフラップ４の回動端部４２が上方高くに回動してフラップ４が斜め上方に急傾斜している場合にでも、他のフラップ反り返り防止部７によってフラップ４が反り返るのを阻止することができる。
【００３０】
【発明の効果】
上記のように本発明の請求項１記載の発明にあっては、一側端部を枢支側端部とすると共に他側端部を回動側端部として回動自在としたドアの回動側端部の下端部にフラップ受け部を設け、前記フラップ受け部の回動軌跡のうちの所定部位の下方の床に一側端部を枢支端部とすると共に他側端部を回動端部として上下に回動自在としたフラップを配置して、前記フラップを回動するドアの回動側端部が近づいてくる側が回動端部側となるように配設し、フラップとフラップ受け部の一方に磁石を設けると共に他方に前記磁石に磁着される磁性体を設け、回動するドアのフラップ受け部がフラップの上方に位置しない時には、フラップの回動端部が下方に回動していてフラップが略水平状態となると共に、回動するドアのフラップ受け部がフラップの上方に位置する時には、磁石と磁性体とが引き寄せ合ってフラップの回動端部が上方に鋭角回動することでフラップが斜め上方に傾斜して、前記斜め上方に傾斜したフラップにほぼ沿う係合下面と該係合下面側に面するように係合下面の上端より略下方に形成される係合当り面とからなるフラップ受け部の係合部にフラップの回動端部が係合されて回動するドアが停止するようにしたものにおいて、フラップ受け部の係合下面の係合当り面と反対側の端部から略上方に形成される補助当り面と、該補助当り面の上端から前記係合下面と反対側に形成される補助下面とから成るフラップ反り返り防止部を形成したので、ドアの回動側端部がフラップ上方に位置しないにも拘わらず、フラップの下側にゴミが挟まり込んだりしてフラップの回動端部が上方に回動してフラップが斜め上方に傾斜していた場合でも、既に上方に回動しているフラップの回動端部が補助当り面に当ってこの補助当り面に沿って上方に移動し、補助下面に当って補助下面と補助当り面との交差部に位置する補助当り部にて係合されて、回動するドアを停止させることができる。更に、フラップの回動端部がフラップ反り返り防止部の補助当り部にて係合されることで、フラップが反り返るのを阻止することができて、フラップが反り返ることによるフラップの枢支部の破損を防止することができる。更にこの場合、正常にフラップがフラップ受け部と係合して回動するドアが停止した場合すなわち、フラップの回動端部が係合部の当り部にて係合された場合と比べて、ドアが手前で停止するため、フラップとフラップ受け部との係合が異常であることが分かる。
【００３１】
また請求項２記載の発明にあっては、一側端部を枢支側端部とすると共に他側端部を回動側端部として回動自在としたドアの回動側端部の下端部にフラップ受け部を設け、前記フラップ受け部の回動軌跡のうちの所定部位の下方の床に一側端部を枢支端部とすると共に他側端部を回動端部として上下に回動自在としたフラップを配置して、前記フラップを回動するドアの回動側端部が近づいてくる側が回動端部側となるように配設し、フラップとフラップ受け部の一方に磁石を設けると共に他方に前記磁石に磁着される磁性体を設け、回動するドアのフラップ受け部がフラップの上方に位置しない時には、フラップの回動端部が下方に回動していてフラップが略水平状態となると共に、回動するドアのフラップ受け部がフラップの上方に位置する時には、磁石と磁性体とが引き寄せ合ってフラップの回動端部が上方に鋭角回動することでフラップが斜め上方に傾斜して、前記斜め上方に傾斜したフラップにほぼ沿う係合下面と該係合下面側に面するように係合下面の上端より略下方に形成される係合当り面とからなるフラップ受け部の係合部にフラップの回動端部が係合されて回動するドアが停止するようにしたものにおいて、フラップ受け部の係合下面の係合当り面と反対側の端部から略斜め外上方に形成される側面視円弧のような一凹曲面からなるフラップ反り返り防止部を形成したので、ドアの回動側端部がフラップ上方に位置しないにも拘わらずフラップの回動端部が上方に回動してフラップが斜め上方に傾斜していた場合、ドアが回動して回動側端部の下端部に設けたフラップ受け部がフラップに近づいてきた際、フラップの回動端部がフラップ反り返り防止部に当接して回動するドアを停止させると共にフラップが反り返るのを阻止することができて、フラップが反り返ることによってフラップの枢支端部の枢支している部分が破損したりするのを防止することができる。また、このようにフラップの回動端部がフラップ反り返り防止部に当接した場合には、正常にフラップがフラップ受け部と係合して回動するドアが停止した場合すなわち、フラップの回動端部が係合部の当り部にて係合された場合と比べて、ドアが手前で停止するため、フラップとフラップ受け部との係合が異常であることが分かる。
【図面の簡単な説明】
【図１】  （ａ）（ｂ）（ｃ）は本発明の一実施形態のフラップ反り返り防止部によるドアの停止を説明する説明図である。
【図２】  同上の係合部によるドアの停止を説明する説明図である。
【図３】  本発明の他の実施形態のフラップ受け部を示し、（ａ）は正面図であり、（ｂ）は下面図であり、（ｃ）は側面図であり、（ｄ）はフラップ受け部に設ける抜け止め部材の図である。
【図４】  （ａ）（ｂ）は本発明の更に他の実施形態のフラップ反り返り防止部によるドアの停止を説明する説明図である。
【図５】  （ａ）（ｂ）（ｃ）は従来の実施例においてフラップが反り返るのを説明する説明図である。
【図６】  同上の係合部によるドアの停止を説明する説明図である。
【符号の説明】
１  ドア
１１  回動側端部
２  フラップ受け部
３  床
４  フラップ
４１  枢支端部
４２  回動端部
５１  磁石
５２  磁性体
６  係合部
６１  係合下面
６２  係合当り面
６３  当り部
７  フラップ反り返り防止部
７１  補助当り面
７２  補助下面
７３  補助当り部
８  フラップ取付基台
【図１】
0003666428.tif 000002
【図２】
0003666428.tif 000003
【図３】
0003666428.tif 000004
【図４】
0003666428.tif 000005
【図５】
0003666428.tif 000006
【図６】
0003666428.tif 000007